【手続補正書】
【提出日】平成25年7月31日(2013.7.31)
【手続補正１】
【補正対象書類名】明細書
【補正対象項目名】０００２
【補正方法】変更
【補正の内容】
【０００２】
従来の遊技機、例えばパチンコ遊技機においては、遊技領域が形成された遊技盤に始動入賞領域及び表示装置を設け、始動入賞領域への遊技球の入賞に基づき乱数を抽出して所定の上限数の範囲内で始動記憶として記憶し、該始動記憶に基づき表示装置で複数の識別図柄を変動表示させる変動表示ゲームを実行し、該変動表示ゲームの結果が予め定められた特別結果態様となった場合に、遊技者に所定の遊技価値を付与する特別遊技状態を発生するものが知られている。
【手続補正２】
【補正対象書類名】明細書
【補正対象項目名】０００５
【補正方法】変更
【補正の内容】
【０００５】
しかしながら、上記特許文献１に開示されている役物装置は、部材間のクリアランスをゼロにするための弾性部材が必要になり、コストアップにつながるという問題がある。
【手続補正３】
【補正対象書類名】明細書
【補正対象項目名】０００７
【補正方法】変更
【補正の内容】
【０００７】
以上の課題を解決するため、請求項１に記載の発明は、
駆動源からの駆動力に応じて揺動可能に設けられた揺動部材と、前記駆動源と前記揺動部材との間に設けられ、前記駆動源からの駆動力を前記揺動部材に伝達する駆動力伝達機構と、を備えた揺動役物装置と、前記揺動役物装置を揺動させる制御を行う演出制御手段と、を備える遊技機において、
前記駆動力伝達機構は、
クランク軸を回転軸の中心から外れた外周部に突設したクランク板と、前記クランク軸が挿入される案内溝部を有し、前記揺動部材が設けられる移動板と、前記移動板が初期状態にあることを検出する初期状態検出手段と、を備え、
前記演出制御手段は、
前記初期状態検出手段により前記移動板が初期状態にあることを検出した状態から前記駆動源からの駆動力に応じて前記クランク板を、初期状態から第１角度まで回転する第１状態と、前記第１角度よりも大きい第２角度まで当該第１状態から回転する第２状態と、に変換させ、
前記クランク板が初期状態から前記第１状態へ変換する場合には、前記クランク軸を前記案内溝部に沿って摺動させるとともに、前記移動板を移動させて前記揺動部材を第１速度で動作させ、
前記クランク板が前記第１状態から前記第２状態へ変換する場合には、前記クランク軸を前記案内溝部の端部に当接させた状態で、前記移動板を移動させて前記揺動部材を前記第１速度よりも早い第２速度で動作させることを特徴とする。
【手続補正４】
【補正対象書類名】明細書
【補正対象項目名】０００８
【補正方法】変更
【補正の内容】
【０００８】
請求項１に記載の発明によれば、初期状態検出手段により移動板が初期状態にあることを検出した状態から駆動源からの駆動力に応じてクランク板を、初期状態から第１角度まで回転する第１状態と、第１角度よりも大きい第２角度まで当該第１状態から回転する第２状態と、に変換させ、クランク板が初期状態から第１状態へ変換する場合には、クランク軸を案内溝部に沿って摺動させるとともに、移動板を移動させて揺動部材を第１速度で動作させ、クランク板が第１状態から第２状態へ変換する場合には、クランク軸を案内溝部の端部に当接させた状態で、移動板を移動させて揺動部材を第１速度よりも早い第２速度で動作させることによって、駆動源の少ない動作角度で揺動部材を好適に揺動動作させることができるので、より高い演出効果を得ることができるとともに、低コストで好適な揺動動作を行うことができるようになる。
【手続補正５】
【補正対象書類名】明細書
【補正対象項目名】０００９
【補正方法】変更
【補正の内容】
【０００９】
本出願に係る他の発明は、
駆動源からの駆動力に応じて揺動可能に設けられた揺動部材と、前記駆動源と前記揺動部材との間に設けられ、前記駆動源からの駆動力を前記揺動部材に伝達する駆動力伝達機構と、を備えた揺動役物装置と、前記揺動役物装置を振動させる制御を行う演出制御手段と、を備える遊技機において、
前記駆動力伝達機構は、
前記揺動部材を往復してスライド移動させるクランク機構部を備え、
前記クランク機構部は、クランク軸を回転軸の中心から外れた外周部に突設したクランク板と、前記クランク軸が挿入される案内溝部を有する移動板と、前記移動板が初期状態にあることを検出する初期状態検出手段と、を備え、
前記移動板には前記揺動部材が設けられ、
前記駆動源からの駆動力に応じて前記クランク板を回転させて、前記クランク軸が前記
案内溝部に沿って摺動することにより、前記移動板が往復移動されて前記揺動部材が揺動し、
前記演出制御手段は、
前記初期状態検出手段により前記移動板が初期状態にあることを検出した状態から前記駆動源からの駆動力により前記クランク板を所定角度回転させてから前記揺動部材を揺動させる制御を行うことを特徴とする。
ここで、「所定角度」は、クランク板に配設されたクランク軸が移動板の案内溝部に当接するまでの当該クランク板の回転角度を意味する。
この発明によれば、初期状態検出手段により移動板が初期状態にあることを検出した状態からクランク板を所定角度回転してから揺動部材を揺動させるようにしたので、移動板が初期状態にあるところから当該揺動部材を揺動させる場合に比べて駆動源の少ない動作角度で揺動部材を好適に揺動動作させることができるので、より高い演出効果を得ることができる。また、クリアランスをゼロにするための弾性部材を用いなくても低コストで好適な揺動動作を行うことができるようになる。
【手続補正６】
【補正対象書類名】明細書
【補正対象項目名】００１０
【補正方法】変更
【補正の内容】
【００１０】
本出願に係る他の発明は、上記遊技機において、
前記揺動部材の後方にセグメント型の表示装置を設け、
前記演出制御手段が前記クランク板を揺動させることにより、前記揺動部材の隙間から前記セグメント型の表示装置の一部が視認可能であることを特徴とする。
【手続補正７】
【補正対象書類名】明細書
【補正対象項目名】００１１
【補正方法】変更
【補正の内容】
【００１１】
この発明によれば、揺動部材を揺動させることにより、当該揺動部材の隙間からセグメント型の表示装置の一部が視認可能となるので、このとき遊技者は当該セグメント型の表示装置に何が表示されているか興味を持って注目するようになり、遊技の興趣を好適に高めることができる。
【手続補正８】
【補正対象書類名】明細書
【補正対象項目名】００１２
【補正方法】変更
【補正の内容】
【００１２】
本出願に係る他の発明は、上記遊技機において、
前記揺動部材は、
少なくとも一部を透過可能なクリア部材で構成し、
前記セグメント型の表示装置からの光を前記クリア部材を通して前記揺動部材の前面側から視認可能とすることで文字が浮き出て見えるように構成することを特徴とする。
【手続補正９】
【補正対象書類名】明細書
【補正対象項目名】００１３
【補正方法】変更
【補正の内容】
【００１３】
この発明によれば、セグメント型の表示装置から光を照射したとき、揺動部材では文字が浮き出て見えるようになるので、当該揺動部材を備える揺動役物装置の演出によって、遊技の興趣を高めることができる。
【手続補正１０】
【補正対象書類名】明細書
【補正対象項目名】００１４
【補正方法】変更
【補正の内容】
【００１４】
本出願に係る他の発明は、上記遊技機において、
識別情報を可変表示する表示装置の前面側に、導光板の平面部に表示情報を表す異方性反射パターンを形成し、該導光板の側面より光源から発光される出射光を入光させて当該表示情報を表示する側方入光表示装置を備え、
前記側方入光表示装置の前面側に前記セグメント型の表示装置を備え、
前記セグメント型の表示装置の前面側に前記揺動役物装置を備えることを特徴とする。
【手続補正１１】
【補正対象書類名】明細書
【補正対象項目名】００１６
【補正方法】変更
【補正の内容】
【００１６】
この発明によれば、表示装置の前面側に側方入光表示装置が配設され、当該側方入光表示装置の前面側にセグメント型の表示装置、そして、当該セグメント型の表示装置の前面側に揺動役物装置が配設されるので、遊技機の前面からは揺動役物装置、セグメント型の表示装置、側方入光表示装置、及び表示装置が重なった状態で視認可能となり、それぞれの装置による演出表示の組み合わせに応じて従来にない斬新な演出表示を行い、遊技の興趣を高めることができる。
【手続補正１２】
【補正対象書類名】明細書
【補正対象項目名】００１７
【補正方法】変更
【補正の内容】
【００１７】
本発明によれば、駆動源の少ない動作角度で揺動部材を好適に揺動動作させることができるので、より高い演出効果を得ることができるとともに、低コストで好適な揺動動作を行うことができるようになる。
【手続補正１３】
【補正対象書類名】特許請求の範囲
【補正対象項目名】全文
【補正方法】変更
【補正の内容】
【特許請求の範囲】
【請求項１】
駆動源からの駆動力に応じて揺動可能に設けられた揺動部材と、前記駆動源と前記揺動部材との間に設けられ、前記駆動源からの駆動力を前記揺動部材に伝達する駆動力伝達機構と、を備えた揺動役物装置と、前記揺動役物装置を揺動させる制御を行う演出制御手段と、を備える遊技機において、
前記駆動力伝達機構は、
クランク軸を回転軸の中心から外れた外周部に突設したクランク板と、前記クランク軸が挿入される案内溝部を有し、前記揺動部材が設けられる移動板と、前記移動板が初期状態にあることを検出する初期状態検出手段と、を備え、
前記演出制御手段は、
前記初期状態検出手段により前記移動板が初期状態にあることを検出した状態から前記駆動源からの駆動力に応じて前記クランク板を、初期状態から第１角度まで回転する第１状態と、前記第１角度よりも大きい第２角度まで当該第１状態から回転する第２状態と、に変換させ、
前記クランク板が初期状態から前記第１状態へ変換する場合には、前記クランク軸を前記案内溝部に沿って摺動させるとともに、前記移動板を移動させて前記揺動部材を第１速度で動作させ、
前記クランク板が前記第１状態から前記第２状態へ変換する場合には、前記クランク軸を前記案内溝部の端部に当接させた状態で、前記移動板を移動させて前記揺動部材を前記第１速度よりも早い第２速度で動作させることを特徴とする遊技機。